(57)【要約】【課題】エアコンディショナーの状態を表示するディスプレイ装置とのＡＶＣ−ＬＡＮを介した通信機能を有さない他の車載機器を、前記ディスプレイ装置に接続せしめると共に、前記ディスプレイ装置及び前記エアコンディショナーを正常動作せしめる。【解決手段】アダプター２の通信部２１は、ＡＣＣ電源１１と接続されたことを感知し、さらに、他の車載機器３からの信号を受信すると、通信部２１は、エアコンディスプレイ１に、他の車載機器３が接続されていることを示す信号を、通信（送信）ポート２２とＡＶＣ−ＬＡＮ１０とを介して送信する。これを受けて、エアコンディスプレイ１は、自己が正常動作し得る状態であることを示す信号を、ＡＶＣ−ＬＡＮ１０を介して、エアコン内蔵のコンピュータに対して送信する。【選択図】        図１
2004210058.tif 000002
【特許請求の範囲】
【請求項１】
移動体に搭載され、かつＡＶＣ−ＬＡＮに各々接続されたエアコンディショナー、ディスプレイ装置、及び純正オーディオ装置を有する車載用オーディオシステムにおける前記ディスプレイ装置に、前記純正オーディオ装置に代わって接続され、かつ使用される車載オーディオシステム用のアダプターにおいて、
前記ディスプレイ装置との前記ＡＶＣ−ＬＡＮを介した通信機能を有さない他の車載機器が接続され、かつ前記他の車載機器からの動作可能状態を示す信号を受信した時に、前記ディスプレイ装置に対して、前記純正オーディオ装置が前記ディスプレイ装置に送信していた信号と同じ信号を送信する通信手段を具備することを特徴とする車載オーディオシステム用のアダプター。
【請求項２】
前記通信手段は、自己の通信処理動作に必要な電源として、前記移動体内のＡＣＣ電源を使用することを特徴とする請求項１記載の車載オーディオシステム用のアダプター。
【請求項３】
前記他の車載機器の範疇には、少なくとも、純正オーディオ機器、純正ナビゲーション装置、市販オーディオ装置、市販ナビゲーション装置のいずれか１つを含むことができることを特徴とする請求項１または請求項２記載の車載オーディオシステム用のアダプター。
【請求項４】
前記ディスプレイ装置は、前記エアコンディショナーに関する情報だけを表示するものであることを特徴とする請求項１乃至３のいずれか１項に記載の車載オーディオシステム用のアダプター。
【請求項５】
前記ディスプレイ装置は、前記ＡＶＣ−ＬＡＮに接続された複数の機器に関する情報を表示するものであることを特徴とする請求項１乃至３のいずれか１項に記載の車載オーディオシステム用のアダプター。
【発明の詳細な説明】
【０００１】
【発明の属する技術分野】
本発明は、車載オーディオシステム用のアダプターに関し、特に、エアコンディスプレイ装置または汎用マルチディスプレイ装置と、車内用のネットワークであるＡＶＣ−ＬＡＮ（Ａｕｄｉｏ  Ｖｉｓｕａｌ  Ｃｏｍｍｕｎｉｃａｔｉｏｎ−Ｌｏｃａｌ  Ａｒｅａ  Ｎｅｔｗｏｒｋ）を介して通信を行う純正オーディオ装置を備えた車載オーディオシステム用のアダプターに関するものである。
【０００２】
【従来の技術】
従来、車載用オーディオシステムは、その構成要素である純正オーディオ装置が、他の車載用機器と、車内用のネットワークであるＡＶＣ−ＬＡＮでもってデータ通信可能に接続されている。そのため、この純正オーディオ装置を取り外したり、この純正オーディオ装置に何らかの障害が生じると、上記車内用のネットワーク上での通信が成立しなくなり、この車内用のネットワークに接続されている上記他の車載用機器の動作に影響を与え、その全ての機能を制御不能にせしむる結果を招来していた。
【０００３】
上記車内用のネットワークに接続されている上記他の車載用機器の例として、エアーコンディショナー専用のエアコンディスプレイ装置または汎用マルチディスプレイ装置、及びエアコンディショナーが有り、上記の純正オーディオ装置は、上記のエアーコンディショナー専用のエアコンディスプレイ装置または汎用マルチディスプレイ装置に前述のＡＶＣ−ＬＡＮを介して信号を送出している。
この純正オーディオ装置から上記エアコンディスプレイ装置またはマルチディスプレイ装置への信号は、上記エアコンディスプレイ装置自体若しくはマルチディスプレイ装置自体と、それに接続された上記エアコンディショナーとを起動して正常動作させるために不可欠である。
【０００４】
図３は、従来の純正オーディオ装置９２が、他の車載機器であるエアコンディスプレイ９１と共にＡＶＣ−ＬＡＮ１０上で接続されている状態を示したブロック図である。
従来の純正オーディオ装置９２は、例えば、図３に示すように、ラジオ波を受信して音声信号に変換するラジオレシーバ９２２と、前記音声信号を増幅するアンプ９２１とを備えて構成されている。
【０００５】
ここで、前述のとおり、上記純正オーディオ装置９２は、ＡＶＣ−ＬＡＮ１０を介してエアコンディスプレイ９１と通信を行っている。より具体的には、上記純正オーディオ装置９２を構成する前記アンプ９２１またはラジオレシーバ９２２が、ＡＶＣ−ＬＡＮ１０を介してエアコンディスプレイ９１と通信を行っている。従って、前記アンプ９２１またはラジオレシーバ９２２は、エアコンディスプレイ９１との通信インターフェースを具備している。
【０００６】
なお、上記の通信が実行されないと、エアコンディスプレイ９１が通常の動作を行わず、その結果、エアコンディスプレイ９１と接続されているエアコンディショナー（図示は省略）に関する情報（正常に接続されたことを示す情報を含む）を表示しない。また、上記エアコンディショナーも動作しなくなる。
【０００７】
一般に、非純正オーディオ装置や非純正車載用機器は、上記のＡＶＣ−ＬＡＮ上での通信機能を有していない。そのため、上記純正オーディオ装置の代替装置として、この非純正オーディオ装置や非純正車載用機器を使用しようとすると、上記エアコンディショナーも動作しなくなるという問題点が生じる。
【０００８】
この問題点を解消するための技術として、純正オーディオ装置とＡＶＣ−ＬＡＮとの通信環境はそのまま維持して、この純正オーディオ装置と、非純正オーディオ装置との音声出力のみをスイッチしてアンプに接続するアダプターが提案されている（例えば、特許文献１参照。）。
【０００９】
【特許文献１】
「特開２００２−３２１５７３号公報」
【００１０】
【発明が解決しようとする課題】
ところで、図３に示す上記従来の車載用オーディオシステムには、前述のとおり、前記アンプ９２１またはラジオレシーバ９２２が、エアコンディスプレイ９１と、ＡＶＣ−ＬＡＮ１０を介して通信を行っており、上記の通信が実行されないと、エアコンディスプレイ９１が通常の動作を行わず、その結果、エアコンディスプレイ９１が、自己と接続されているエアコンディショナー（図示は省略）に関する情報（正常に接続されたことを示す情報を含む）を表示しないばかりか、前記エアコンディショナーの動作も停止せしめるという問題点を有するものがあった。
【００１１】
なお、ここではエアコンディショナーに関する情報を表示する装置を、エアコンディスプレイ９１としたが、他の様々な車載機器に関する情報を一括集中して表示する機能を備えたマルチディスプレイ装置が使用される場合についても、前述の問題点と同様の問題点を有する。
【００１２】
そのため、このような従来の車載用オーディオシステムにおいては、図４で示すように、図３に示す純正オーディオ装置９２の代わりに、前述の通信機能を備えていない他の車載機器９３を、ＡＶＣ−ＬＡＮ１０を介してエアコンディスプレイ９１と接続した場合には、エアコンディスプレイ９１が起動若しくは正常動作を行わず、その結果、エアコンディスプレイ９１が、自己と接続されているエアコンディショナー（図示は省略）に関する情報（正常に接続されたことを示す情報を含む）を表示しないばかりか、前記エアコンディショナーの動作を停止せしめるか、若しくは異常動作せしめるというトラブルを発生していた。
【００１３】
なお、前述の特許文献１に示された技術では、本発明のようにアダプター自体に車内用ＬＡＮによる通信機能を付与したものではないので、少なくとも通信機能が故障無く作動する純正オーディオ装置を車内に残留しておく必要があり、純正オーディオ装置が故障してしまって非純正オーディオ装置と取り替えたい場合には対応できなくなる。また、一般に、ユーザが、純正オーディオ装置の性能では満足できずに非純正オーディオ装置と取り替えたい場合や、オーディオ装置は使用しないで、代わりにナビゲーション装置等の他の車載機器を使用したい場合には、使いもしない純正オーディオ装置を車内に残留させておくことになり、車内のスペース使用効率を低下せしめることになる。即ち、車内に残留する純正オーディオ装置の存在が邪魔になるので、望ましい解決方法にはならない。
【００１４】
本発明は、以上のような従来の車載用オーディオシステムにおける問題点に鑑みてなされたものであり、エアコンディショナーの状態を表示するディスプレイ装置との、ＡＶＣ−ＬＡＮを介した通信機能を有さない他の車載機器を、前記ディスプレイ装置に接続せしめると共に、前記ディスプレイ装置及び前記エアコンディショナーを正常動作せしめることができる車載オーディオシステム用のアダプターを提供することを目的とする。
【００１５】
【課題を解決するための手段】
本発明では上記の課題を解決するために、移動体に搭載され、かつＡＶＣ−ＬＡＮに各々接続されたエアコンディショナー、ディスプレイ装置、及び純正オーディオ装置を有する車載用オーディオシステムにおける前記ディスプレイ装置に、前記純正オーディオ装置に代わって接続され、かつ使用される車載オーディオシステム用のアダプターにおいて、前記ディスプレイ装置との前記ＡＶＣ−ＬＡＮを介した通信機能を有さない他の車載機器が接続され、かつ前記他の車載機器からの動作可能状態を示す信号を受信した時に、前記ディスプレイ装置に対して、前記純正オーディオ装置が前記ディスプレイ装置に送信していた信号と同じ信号を送信する通信手段を具備することを特徴とし（請求項１）、このような構成により、前記エアコンディショナーの状態を表示する前記ディスプレイ装置との、前記ＡＶＣ−ＬＡＮを介した通信機能を有していない他の車載機器を、前記ディスプレイ装置に接続せしめると共に、前記ディスプレイ装置及び前記エアコンディショナーを正常動作せしめることができる。
【００１６】
また、前記車載オーディオシステム用のアダプターにおいて、前記通信手段は、自己の通信処理動作に必要な電源として、前記移動体内のＡＣＣ電源を使用することを特徴とし（請求項２）、このような構成により、前記他の車載機器が外部機器用の電源端子を有さない場合にも、前記通信手段の通信処理動作に必要な電源を確保することができるようにしている。
【００１７】
また、前記車載オーディオシステム用のアダプターにおいて、前記他の車載機器の範疇には、少なくとも、純正オーディオ機器、純正ナビゲーション装置、市販オーディオ装置、市販ナビゲーション装置のいずれか１つを含むことができることを特徴とし（請求項３）、このような構成により、前記ディスプレイ装置との前記ＡＶＣ−ＬＡＮを介した通信機能を有さない他の豊富な車載機器を利用可能にすると共に、前記ディスプレイ装置及び前記エアコンディショナーを正常動作せしめることができる。
【００１８】
また、前記車載オーディオシステム用のアダプターにおいて、前記ディスプレイ装置は、前記エアコンディショナーに関する情報だけを表示するものであることを特徴とし（請求項４）、このような構成により、前記エアコンディショナーに関する情報だけを表示するディスプレイ装置との接続、及び通信を可能にすると共に、前記ディスプレイ装置及び前記エアコンディショナーを正常動作せしめることができる。
【００１９】
さらに、前記車載オーディオシステム用のアダプターにおいて、前記ディスプレイ装置は、前記ＡＶＣ−ＬＡＮに接続された複数の機器に関する情報を表示するものであることを特徴とし（請求項５）、このような構成により、前記エアコンディショナーを含む複数の機器に関する情報だけを表示するディスプレイ装置との接続、及び通信を可能にすると共に、前記ディスプレイ装置及び前記エアコンディショナーを正常動作せしめることができる。
【００２０】
【発明の実施の形態】
以下、本発明の実施の形態を図面に基づいて説明する。
〔第１の実施の形態〕
図１は、本発明の第１の実施の形態に係る車載オーディオシステム用のアダプターを使用した車載オーディオシステムの構成を示すブロック図である。
図１に示す車載オーディオシステムは、図示しないエアコンコンピュータと接続されたエアコンディスプレイ１と、エアコンディスプレイ１とＡＶＣ−ＬＡＮ１０を介して通信可能に接続された本実施形態に係る車載オーディオシステム用のアダプターであるアダプター２と、アダプター２に接続された他の車載機器３とを具備して構成されている。
【００２１】
ここで、上記の他の車載機器３の意味は、他システムの装置ということではなく、図３に示す純正オーディオ装置９２のような、ＡＶＣ−ＬＡＮ１０を介したディスプレイ装置（図３ではエアコンディスプレイ９１）との通信機能を有さない装置ということであり、この定義を満たすならば、具体的には、純正オーディオシステム、純正ナビゲーション装置（但し、汎用ディーラーオプション）、市販オーディオ装置、または市販ナビゲーション装置、等であってもよい。
【００２２】
また、アダプター２に内蔵された通信部２１は、車両側に具備されているＡＣＣ（アクセサリー）電源で動作するのとする。さらに、このＡＣＣ電源を利用する際には、必要に応じて電圧値の減圧を行うことができるものとする。
なお、一般に、上記の車両側に具備されているＡＣＣ電源１１は、エンジンキーが掛けられることにより投入されるように構成されていてもよいし、車種によっては、ＡＣＣ電源１１専用のスイッチが具備されていてもよい。また、これらエンジンキーや、ＡＣＣ電源１１専用のスイッチと、ドア・ロック等とのＡＮＤ条件で投入されるように構成されていてもよいものとする。
【００２３】
本実施形態に係る車載オーディオシステム用のアダプターであるアダプター２は、図１に示すように通信（送信）ポート２２とＡＶＣ−ＬＡＮ１０とを介してエアコンディスプレイ１と通信可能に接続されている。
このアダプター２は、図３に示す純正オーディオ装置９２の代わりに接続されるものと考えてもよい。
従って、本実施形態に係るアダプター２に内蔵されている通信部２１は、エアコンディスプレイ１との通信インターフェースを具備している。
上記のアダプター２には、ＡＶＣ−ＬＡＮ１０を介して他の車載機器３が接続されている。
【００２４】
次に、本実施の形態に係る車載オーディオシステム用のアダプターの動作を説明する。
図１に示す構成により、他の車載機器３は正常の動作を開始し、かつ本実施の形態に係る車載オーディオシステム用のアダプター２に内蔵された通信部２１（マイコンで構成可能）は、ＡＣＣ電源１１と接続されたことを感知する。この状態において、さらに、他の車載機器３からの動作可能状態を示す信号を受信すると、上記の通信部２１は、エアコンディスプレイ１に、他の車載機器３が接続されていることを示す信号を、通信（送信）ポート２２とＡＶＣ−ＬＡＮ１０とを介して送信する。
【００２５】
これにより、エアコンディスプレイ１は、自己が正常動作し得る状態であることを示す信号を、ＡＶＣ−ＬＡＮ１０を介して、図示しないエアコンディショナーに内蔵されたエアコンコンピュータに対して送信する。
その結果、上記のエアコンディショナーは、正常動作の運転を開始することができる。
【００２６】
なお、本実施形態では、アダプター２に内蔵された通信部２１は、ＡＣＣ電源１１と接続されたことを感知すると、他の車載機器３からの信号の受信を契機として、他の車載機器３が接続されていることを示す信号をエアコンディスプレイ１に送信する構成としたが、一般に、本発明では、他の車載機器３からの信号の受信を待たず、ＡＣＣ電源１１と接続されたことを感知した時点で、他の車載機器３が接続されていることを示す擬似信号をエアコンディスプレイ１に送信するように構成することも可能である。
【００２７】
〔第２の実施の形態〕
図２は、本発明の第２の実施の形態に係る車載オーディオシステム用のアダプターを使用した車載オーディオシステムの構成を示すブロック図である。
図２に示す車載オーディオシステムの構成は、図１に示す車載オーディオシステムのエアコンディスプレイ１が、マルチディスプレイ４に置き代わっただけの構成であり、その動作は、図１に示す車載オーディオシステムの動作に準じる。
【００２８】
エアコンディスプレイ１は図示しないエアコンディショナー専用のディスプレイ装置であったが、マルチディスプレイ４はエアコンディショナー用とは限らない汎用のディスプレイ装置であり、複数の車載機器に関する情報の各々を、一括集中して表示する機能を有する。
従って、本実施形態に係るアダプター５に内蔵されている通信部５１は、マルチディスプレイ４との通信インターフェースを具備している。
【００２９】
【発明の効果】
以上に説明したとおり、請求項１の発明によれば、移動体に搭載され、かつＡＶＣ−ＬＡＮに各々接続されたエアコンディショナー、ディスプレイ装置、及び純正オーディオ装置を有する車載用オーディオシステムにおける前記ディスプレイ装置に、前記純正オーディオ装置に代わって接続され、かつ使用される車載オーディオシステム用のアダプターにおいて、前記ディスプレイ装置との前記ＡＶＣ−ＬＡＮを介した通信機能を有さない他の車載機器が接続され、かつ前記他の車載機器からの動作可能状態を示す信号を受信した時に、前記ディスプレイ装置に対して、前記純正オーディオ装置が前記ディスプレイ装置に送信していた信号と同じ信号を送信する通信手段を具備するように構成したから、前記エアコンディショナーの状態を表示する前記ディスプレイ装置との、前記ＡＶＣ−ＬＡＮを介した通信機能を有していない他の車載機器を、前記ディスプレイ装置に接続せしめると共に、前記ディスプレイ装置及び前記エアコンディショナーを正常動作せしめることができる車載オーディオシステム用のアダプターを提供することができる。
また、本発明の請求項２の車載オーディオシステム用のアダプターによれば、前記通信手段は、自己の通信処理動作に必要な電源として、前記移動体内のＡＣＣ電源を使用するように構成したから、前記他の車載機器が外部機器用の電源端子を有さない場合にも、前記通信手段の通信処理動作に必要な電源を確保することができる車載オーディオシステム用のアダプターを提供することができる。
また、本発明の請求項３の車載オーディオシステム用のアダプターによれば、前記他の車載機器の範疇には、少なくとも、純正オーディオ機器、純正ナビゲーション装置、市販オーディオ装置、市販ナビゲーション装置のいずれか１つを含むことができるように構成したから、前記ディスプレイ装置との前記ＡＶＣ−ＬＡＮを介した通信機能を有さない他の豊富な車載機器を利用可能にすると共に、前記ディスプレイ装置及び前記エアコンディショナーを正常動作せしめることができる車載オーディオシステム用のアダプターを提供することができる。
また、本発明の請求項４の車載オーディオシステム用のアダプターによれば、前記ディスプレイ装置は、前記エアコンディショナーに関する情報だけを表示するものであってもよいように構成したから、前記エアコンディショナーに関する情報だけを表示するディスプレイ装置との接続、及び通信を可能にすると共に、前記ディスプレイ装置及び前記エアコンディショナーを正常動作せしめることができる車載オーディオシステム用のアダプターを提供することができる。
さらに、本発明の請求項５の車載オーディオシステム用のアダプターによれば、前記ディスプレイ装置は、前記ＡＶＣ−ＬＡＮに接続された複数の機器に関する情報を表示するものであってもよいように構成したから、前記エアコンディショナーを含む複数の機器に関する情報だけを表示するディスプレイ装置との接続、及び通信を可能にすると共に、前記ディスプレイ装置及び前記エアコンディショナーを正常動作せしめることができる車載オーディオシステム用のアダプターを提供することができる。
【図面の簡単な説明】
【図１】本発明の第１の実施の形態に係る車載オーディオシステム用のアダプターを使用した車載オーディオシステムの構成を示すブロック図である。
【図２】本発明の第２の実施の形態に係る車載オーディオシステム用のアダプターを使用した車載オーディオシステムの構成を示すブロック図である。
【図３】従来の純正オーディオ装置が、他の車載機器であるエアコンディスプレイと共にＡＶＣ−ＬＡＮ上で接続されている状態を示した配線図である。
【図４】エアコンディスプレイとの通信機能を備えていない他装置が、ＡＶＣ−ＬＡＮを介してエアコンディスプレイに接続されている状態を示した配線図である。
【符号の説明】
１  エアコンディスプレイ
２，５  アダプター
３  他の車載機器
４  マルチディスプレイ
１０  ＡＶＣ−ＬＡＮ
１１  ＡＣＣ電源
２１，５１  通信部
２２，５２  通信（送信）ポート
【図１】
2004210058.tif 000003
【図２】
2004210058.tif 000004
【図３】
2004210058.tif 000005
【図４】
2004210058.tif 000006